(57)【特許請求の範囲】
【請求項１】
複数の映像表示装置（１００〜１０６）を配置して大画面を構成するマルチディスプレイシステム（２００）であって、
各前記映像表示装置（１００〜１０６）は、
発光素子が配置された複数の映像表示モジュール（１０００〜１００４）と、
複数の前記映像表示モジュール（１０００〜１００４）の背面が固定される筐体フレーム（５）と、
前記筐体フレーム（５）に回転自在に支持されかつ回転操作可能であり複数の前記映像表示モジュール（１０００〜１００４）の前後方向の段差を前記回転操作により調整する調整部（３１０）と、回転操作可能であり複数の前記映像表示モジュール（１０００〜１００４）の前後方向の位置を前記回転操作により固定する固定部（５０）とを有する保持部材（４０〜４３）と、
を備え、
前記調整部（３１０）の回転軸は前記固定部（５０）の回転軸と同軸上に配置され、
前記映像表示モジュール（１０００〜１００４）は、背面から前記筐体フレーム（５）側に突出する雄ねじ部（１０）を有し、
前記保持部材（４０〜４３）は、前記映像表示モジュール（１０００〜１００４）の背面に当接する磁性体からなるフランジ部（３５１）と、前記フランジ部（３５１）の内部に配置された円板状のマグネット（３０）と、前記マグネット（３０）の背面に固定された前記固定部（５０）と、前記固定部（５０）の内部に配置され前記マグネット（３０）の中央部を貫通し前記映像表示モジュール（１０００〜１００４）の前記雄ねじ部（１０）が挿入されるスリーブ部（３５０）と、前記スリーブ部（３５０）の後側に形成され前記雄ねじ部（１０）を案内するテーパ部（３６１）と、前記テーパ部（３６１）の後側に形成され前記マグネット（３０）と同期して回転する雌ねじ部（３６０）とを有し、
前記映像表示モジュール（１０００〜１００４）の前面に当接可能なマグネット治具（５００）と前記保持部材（４０〜４３）の前記マグネット（３０）との間の磁力吸着によるマグネットカップリングにより、前記保持部材（４０〜４３）の前記固定部（５０）は前記フランジ部（３５１）に回転可能に支持され、
前記調整部（３１０）は、前記フランジ部（３５１）の背面に固定され、かつ、挿通された前記固定部（５０）を案内する貫通穴（３１０ａ）を有し、
前記固定部（５０）を後方に付勢する圧縮ばね（３６５）が、前記調整部（３１０）の後端と前記固定部（５０）の後端に配置されたストッパ（３６４）との間に配置され、
前記映像表示モジュール（１０００〜１００４）が前記筐体フレーム（５）に仮固定される際、前記フランジ部（３５１）に当接する前記映像表示モジュール（１０００〜１００４）の当接面は、前記映像表示モジュール（１０００〜１００４）が前記筐体フレーム（５）に本固定される際の前記当接面よりも前方に位置するように前記圧縮ばね（３６５）により付勢され、
前記映像表示モジュール（１０００〜１００４）が前記筐体フレーム（５）に本固定される際、前記マグネット治具（５００）により前記マグネット（３０）を回転させることで、前記雌ねじ部（３６０）が前記雄ねじ部（１０）に対して回転し、前記マグネット（３０）の前面の外周部と、前記映像表示モジュール（１０００〜１００４）における前後方向の段差が前記調整部（３１０）により予め調整された前記フランジ部（３５１）が当接して、前記雌ねじ部（３６０）が前記雄ねじ部（１０）と締結され、前記固定部（５０）が前方に移動し、前記圧縮ばね（３６５）が圧縮され、前記映像表示モジュール（１０００〜１００４）が前記圧縮ばね（３６５）の圧縮による反発力により付勢され前記筐体フレーム（５）に固定される、マルチディスプレイシステム（２００）。
【請求項２】
発光素子が配置された複数の映像表示モジュール（１０００〜１００４）と、
複数の前記映像表示モジュール（１０００〜１００４）の背面が固定される筐体フレーム（５）と、
前記筐体フレーム（５）に回転自在に支持されかつ回転操作可能であり複数の前記映像表示モジュール（１０００〜１００４）の前後方向の段差を前記回転操作により調整する調整部（３１０）と、回転操作可能であり複数の前記映像表示モジュール（１０００〜１００４）の前後方向の位置を前記回転操作により固定する固定部（５０）とを有する保持部材（４０〜４３）と、
を備え、
前記調整部（３１０）の回転軸は前記固定部（５０）の回転軸と同軸上に配置され、
前記映像表示モジュール（１０００〜１００４）は、背面から前記筐体フレーム（５）側に突出する雄ねじ部（１０）を有し、
前記保持部材（４０〜４３）は、前記映像表示モジュール（１０００〜１００４）の背面に当接する磁性体からなるフランジ部（３５１）と、前記フランジ部（３５１）の内部に配置された円板状のマグネット（３０）と、前記マグネット（３０）の背面に固定された前記固定部（５０）と、前記固定部（５０）の内部に配置され前記マグネット（３０）の中央部を貫通し前記映像表示モジュール（１０００〜１００４）の前記雄ねじ部（１０）が挿入されるスリーブ部（３５０）と、前記スリーブ部（３５０）の後側に形成され前記雄ねじ部（１０）を案内するテーパ部（３６１）と、前記テーパ部（３６１）の後側に形成され前記マグネット（３０）と同期して回転する雌ねじ部（３６０）とを有し、
前記映像表示モジュール（１０００〜１００４）の前面に当接可能なマグネット治具（５００）と前記保持部材（４０〜４３）の前記マグネット（３０）との間の磁力吸着によるマグネットカップリングにより、前記保持部材（４０〜４３）の前記固定部（５０）は前記フランジ部（３５１）に回転可能に支持され、
前記調整部（３１０）は、前記フランジ部（３５１）の背面に固定され、かつ、挿通された前記固定部（５０）を案内する貫通穴（３１０ａ）を有し、
前記固定部（５０）を後方に付勢する圧縮ばね（３６５）が、前記調整部（３１０）の後端と前記固定部（５０）の後端に配置されたストッパ（３６４）との間に配置され、
前記映像表示モジュール（１０００〜１００４）が前記筐体フレーム（５）に仮固定される際、前記フランジ部（３５１）に当接する前記映像表示モジュール（１０００〜１００４）の当接面は、前記映像表示モジュール（１０００〜１００４）が前記筐体フレーム（５）に本固定される際の前記当接面よりも前方に位置するように前記圧縮ばね（３６５）により付勢され、
前記映像表示モジュール（１０００〜１００４）が前記筐体フレーム（５）に本固定される際、前記マグネット治具（５００）により前記マグネット（３０）を回転させることで、前記雌ねじ部（３６０）が前記雄ねじ部（１０）に対して回転し、前記マグネット（３０）の前面の外周部と、前記映像表示モジュール（１０００〜１００４）における前後方向の段差が前記調整部（３１０）により予め調整された前記フランジ部（３５１）が当接して、前記雌ねじ部（３６０）が前記雄ねじ部（１０）と締結され、前記固定部（５０）が前方に移動し、前記圧縮ばね（３６５）が圧縮され、前記映像表示モジュール（１０００〜１００４）が前記圧縮ばね（３６５）の圧縮による反発力により付勢され前記筐体フレーム（５）に固定される、映像表示装置（１００〜１０６）。
【発明の詳細な説明】
【技術分野】
【０００１】
本発明は、マルチディスプレイシステムが備える映像表示装置の表示モジュールの表示面間の段差調整に関するものである。
【背景技術】
【０００２】
発光素子である、ＬＥＤ（Light Emitting Diode）などの表示素子を複数配設した複数の映像表示装置を備え、複数の映像表示装置の画面を組み合わせた大画面に画像を表示するマルチディスプレイシステムが提案されている。このマルチディスプレイシステムは、表示素子の性能向上および低コスト化により、屋外だけでなく屋内においても広告表示等に多く使用されている。そのため、自然画およびアニメーションの動画像の表示等に用いられることが主流であった。【０００３】
しかし、表示素子の小型化により画素ピッチの狭ピッチ化が進み、短い視認距離でも適切な表示品質が得られるようになった。この結果、マルチディスプレイシステムは、屋内の広告表示等に使用されるのみならず、会議室および監視用途などのパソコンの画像表示用にも使用されようになった。特に、監視用途のマルチディスプレイシステムでは、静止画に近いパソコン画像が表示されることもある。【０００４】
マルチディスプレイシステムでは、小さなＬＥＤ表示モジュールを基板に実装したＳＭＤ（Surface Mount Device：表面実装部品）型が主流であり、これまで画素ピッチが３ｍｍ以上である大型マルチディスプレイシステムが構成されていた。そして、ＬＥＤ表示モジュールは、セラミックまたは樹脂などで成型された成型品のキャビティの内部にＬＥＤ表示素子を実装し、これを封止樹脂で固めることで形成されていた。【０００５】
しかし、近年では、高密度実装品を使用したＬＥＤ表示素子の低コスト化および高精細化を背景に、画素ピッチが１〜２ｍｍ等であるＬＥＤ表示素子が配設された映像表示装置を、タイル状に複数並べて構成された大型マルチディスプレイシステムが市場に導入されている。【０００６】
ところで、マルチディスプレイシステムにおいて、各映像表示装置の表示面の平面均一性が映像品質に大きく影響する。映像表示装置の保持および固定方法と、メンテナンス時に容易かつ品質を損なわないように交換できることが肝要である。そのため、表示モジュールを複数枚並べて構成される映像表示装置において、映像表示装置の表示面の前後方向の段差を抑え、さらに、これらの段差が目立たないように調整することが必要となる。【０００７】
例えば、特許文献１および特許文献２には、映像表示装置の構成とその保持方法が開示されている。
【先行技術文献】
【特許文献】
【０００８】
【特許文献１】特開２００７−２４８４９８号公報
【特許文献２】特開２０１７−６２４５４号公報
【発明の概要】
【発明が解決しようとする課題】
【０００９】
特許文献１および特許文献２には、各映像表示装置の表示面の保持方法について記載されているが、固定位置のばらつきによる表示面の段差については考慮されていない。【００１０】
また、ねじを用いて表示面を固定する構造では、ＬＥＤ表示モジュールを一度取り外して、再度、取り付け直す際に、ねじが所定の位置に収まるまでＬＥＤ表示モジュールの前後方向の位置が定まらず、複数の取り付け箇所のうちのある数点を支点として斜めになる。そのため、ＬＥＤ表示モジュールの端部がこれに隣接するＬＥＤ表示モジュールの端部と干渉し、ＬＥＤ表示素子を破損する恐れがある。【００１１】
そこで、本発明は、マルチディスプレイシステムにおいて、映像表示装置と隣接する他の映像表示装置との間の目地を目立たないように調整し、かつ、映像表示モジュールを取り付け直す際に、映像表示モジュールの端部とこれに隣接する映像表示モジュールの端部が干渉することを抑制可能な技術を提供することを目的とする。
【課題を解決するための手段】
【００１２】
本発明に係るマルチディスプレイシステムは、複数の映像表示装置を配置して大画面を構成するマルチディスプレイシステムであって、各前記映像表示装置は、発光素子が配置された複数の映像表示モジュールと、複数の前記映像表示モジュールの背面が固定される筐体フレームと、前記筐体フレームに回転自在に支持されかつ回転操作可能であり複数の前記映像表示モジュールの前後方向の段差を前記回転操作により調整する調整部と、回転操作可能であり複数の前記映像表示モジュールの前後方向の位置を前記回転操作により固定する固定部とを有する保持部材とを備え、前記調整部の回転軸は前記固定部の回転軸と同軸上に配置され、前記映像表示モジュールは、背面から前記筐体フレーム側に突出する雄ねじ部を有し、前記保持部材は、前記映像表示モジュールの背面に当接する磁性体からなるフランジ部と、前記フランジ部の内部に配置された円板状のマグネットと、前記マグネットの背面に固定された前記固定部と、前記固定部の内部に配置され前記マグネットの中央部を貫通し前記映像表示モジュールの前記雄ねじ部が挿入されるスリーブ部と、前記スリーブ部の後側に形成され前記雄ねじ部を案内するテーパ部と、前記テーパ部の後側に形成され前記マグネットと同期して回転する雌ねじ部とを有し、前記映像表示モジュールの前面に当接可能なマグネット治具と前記保持部材の前記マグネットとの間の磁力吸着によるマグネットカップリングにより、前記保持部材の前記固定部は前記フランジ部に回転可能に支持され、前記調整部は、前記フランジ部の背面に固定され、かつ、挿通された前記固定部を案内する貫通穴を有し、前記固定部を後方に付勢する圧縮ばねが、前記調整部の後端と前記固定部の後端に配置されたストッパとの間に配置され、前記映像表示モジュールが前記筐体フレームに仮固定される際、前記フランジ部に当接する前記映像表示モジュールの当接面は、前記映像表示モジュールが前記筐体フレームに本固定される際の前記当接面よりも前方に位置するように前記圧縮ばねにより付勢され、前記映像表示モジュールが前記筐体フレームに本固定される際、前記マグネット治具により前記マグネットを回転させることで、前記雌ねじ部が前記雄ねじ部に対して回転し、前記マグネットの前面の外周部と、前記映像表示モジュールにおける前後方向の段差が前記調整部により予め調整された前記フランジ部が当接して、前記雌ねじ部が前記雄ねじ部と締結され、前記固定部が前方に移動し、前記圧縮ばねが圧縮され、前記映像表示モジュールが前記圧縮ばねの圧縮による反発力により付勢され前記筐体フレームに固定されるものである。
【発明の効果】
【００１３】
本発明によれば、映像表示装置と隣接する他の映像表示装置との間の目地を目立たないように調整することができる。さらに映像表示モジュールを取り付け直す際に、映像表示モジュールの端部とこれに隣接する映像表示モジュールの端部が干渉することができる。【００１４】
この発明の目的、特徴、局面、および利点は、以下の詳細な説明と添付図面とによって、より明白となる。
【図面の簡単な説明】
【００１５】
【図１】実施の形態に係るマルチディスプレイシステムの概略構成を示す斜視図である。
【図２】実施の形態に係るマルチディスプレイシステムが備える映像表示装置の概略構成を示す斜視図である。
【図３】映像表示装置から１つのＬＥＤ表示モジュールを取り外した状態を示す斜視図である。
【図４】映像表示装置のＬＥＤ表示モジュールが保持部材に取り付けられる前の状態を示す断面図である。
【図５】保持部材の背面斜視図である。
【図６】映像表示装置のＬＥＤ表示モジュールが保持部材に仮固定された状態を示す断面図である。
【図７】映像表示装置のＬＥＤ表示モジュールが保持部材に本固定された状態を示す断面図である。
【図８】関連技術に係るマルチディスプレイシステムが備える映像表示装置のＬＥＤ表示モジュールが浮いた状態を示す斜視図である。
【図９】関連技術に係るマルチディスプレイシステムが備える映像表示装置のＬＥＤ表示モジュールが筐体フレームに本固定される前の状態を示す断面図である。
【図１０】関連技術に係るマルチディスプレイシステムが備える映像表示装置のＬＥＤ表示モジュールが筐体フレームに本固定された状態を示す断面図である。
【発明を実施するための形態】
【００１６】
＜関連技術＞
まず、本発明の実施の形態の説明に先立って、関連技術の問題点について詳細に説明する。図８は、関連技術に係るマルチディスプレイシステムが備える映像表示装置１００ＡのＬＥＤ表示モジュール１００１Ａが浮いた状態を示す斜視図である。図９は、関連技術に係るマルチディスプレイシステムが備える映像表示装置１００ＡのＬＥＤ表示モジュール１０００Ａが筐体フレーム５に本固定される前の状態を示す断面図である。図１０は、関連技術に係るマルチディスプレイシステムが備える映像表示装置１００ＡのＬＥＤ表示モジュール１０００Ａが筐体フレーム５に本固定された状態を示す断面図である。
【００１７】
図８と図９に示すように、マルチディスプレイシステムが備える映像表示装置１００Ａは４つの映像表示モジュールであるＬＥＤ表示モジュール１００１Ａ〜１００４Ａ、筐体フレーム５、および位置調整ボルト３１００を備えている。関連技術において、ＬＥＤ表示モジュール１００１Ａ〜１００４Ａを区別しないときは、ＬＥＤ表示モジュール１０００Ａと記載する。
【００１８】
図９と図１０に示すように、ＬＥＤ表示モジュール１０００Ａは、ＬＥＤ素子が実装されたＬＥＤ基板１、ＬＥＤ基板１を保持するモールドベース２、および固定ねじ３０００を備えている。固定ねじ３０００は、フランジ状のマグネット３００１、マグネット３００１の背面から筐体フレーム５側に突出する雄ねじ部３００２、およびマグネット３００１の背面と一体化して設けられた保持部品３００３を備えている。
【００１９】
位置調整ボルト３１００は、中空状である円筒状であり、筐体フレーム５にねじ固定される。位置調整ボルト３１００の内部の前側部分には、雄ねじ部３００２と螺合する雌ねじ部３１０１が形成され、雄ねじ部３００２と雌ねじ部３１０１がねじ固定できる構造となっている。
【００２０】
関連技術では、製品の不具合対応等で各ＬＥＤ表示モジュール１０００Ａを表示面側から取り外す、または取り付け直す場合、図９に示すように、ＬＥＤ表示モジュール１０００Ａの表示面側からマグネット３００１を回転させるために、マグネット５２１とツマミ５２２を有する冶具５２０が用いられる。または、背面側から雄ねじ部３００２を回転させる工具３１０３が用いられる。
【００２１】
雄ねじ部３００２は、雌ねじ部３１０１と螺合すると、筐体フレーム５側に引き込まれて保持部品３００３が固定位置に至るまで、図８に示すように、ＬＥＤ表示モジュール１０００Ａが浮いた状態となり斜めになるなど、位置が定まらない状態になる。これにより、ＬＥＤ表示モジュール１０００Ａの端部とこれに隣接するＬＥＤ表示モジュール１０００Ａの端部が干渉し、ＬＥＤ表示モジュール１０００Ａの表面側に実装されたＬＥＤ表示素子が破損する恐れがあった。以下の実施の形態は、このような課題を解決するものである。
【００２２】
＜実施の形態＞
本発明の実施の形態について、図面を用いて以下に説明する。図１は、実施の形態に係るマルチディスプレイシステム２００の概略構成を示す斜視図である。
【００２３】
図１に示すように、マルチディスプレイシステム２００は、マトリックス状に配置された複数の画像表示用の映像表示装置１０１〜１０６を備えている。本実施の形態において、映像表示装置１０１〜１０６を区別しないときは、映像表示装置１００と記載する。
【００２４】
図２は、映像表示装置１００の概略構成を示す斜視図である。図３は、映像表示装置１００から１つのＬＥＤ表示モジュール１００１を取り外した状態を示す斜視図である。図２と図３に示すように、映像表示装置１００は４つの映像表示モジュールであるＬＥＤ表示モジュール１００１〜１００４、筐体フレーム５、保持部材４１〜４３、および圧縮ばね３６５（図４参照）を備えている。本実施の形態において、ＬＥＤ表示モジュール１００１〜１００４を区別しないときは、ＬＥＤ表示モジュール１０００と記載し、保持部材４１〜４３を区別しないときは、保持部材４０と記載する。ＬＥＤ表示モジュール１０００には、例えばＬＥＤ素子などの複数の発光素子が配置されている。
【００２５】
図３に示すように、ＬＥＤ表示モジュール１０００は、ＬＥＤ素子が実装されたＬＥＤ基板１、ＬＥＤ基板１を保持するモールドベース２、およびモールドベース２の背面から筐体フレーム５側に突出する３つの雄ねじ部１１〜１３を備えている。本実施の形態において、雄ねじ部１１〜１３を区別しないときは、雄ねじ部１０と記載する。保持部材４０は、筐体フレーム５に取り付けられ、雄ねじ部１０を保持する。なお、ＬＥＤ表示モジュール１０００には金具７００が設けられ、金具７００は輸送中のＬＥＤ表示モジュール１０００と筐体フレーム５との固定を補助する。
【００２６】
図４は、映像表示装置１００のＬＥＤ表示モジュール１０００が保持部材４０に取り付けられる前の状態を示す断面図である。図５は、保持部材４０の背面斜視図である。
【００２７】
図４と図５に示すように、保持部材４０は、磁性体からなるフランジ部３５１、円板状のマグネット３０、ボス５０、スリーブ部３５０、テーパ部３６１、雌ねじ部３６０、ストッパ３６４、および調整ねじ３１０を備えている。
【００２８】
フランジ部３５１は、正面視にて円状であり、前縁部３５１ａ、側面部３５１ｂ、背面部３５１ｃ、および開口部３５１ｄを備える。フランジ部３５１はマグネット３０の前面の外周部と側面と背面とを覆うことが可能な形状であり、開口部３５１ｄからマグネット３０の前面の外周部を除く部分が露出している。ＬＥＤ表示モジュール１０００に対するフランジ部３５１の当接面である前縁部３５１ａは、ＬＥＤ表示モジュール１０００の背面に当接する。
【００２９】
図５に示すように、マグネット３０は６つの磁極を有している。ボス５０は、マグネット３０の背面の中央部に固定されている。ボス５０の内部には、スリーブ部３５０、テーパ部３６１、および雌ねじ部３６０が設けられている。スリーブ部３５０は、マグネット３０の中央部に貫通した状態で固定され、スリーブ部３５０にはＬＥＤ表示モジュール１０００の雄ねじ部１０が挿入されている。テーパ部３６１は、スリーブ部３５０の後側に連続して形成され、スリーブ部３５０に挿入された雄ねじ部１０を後方に案内する。雌ねじ部３６０は、テーパ部３６１の後側に連続して形成され、テーパ部３６１により案内された雄ねじ部１０と螺合する。
【００３０】
調整ねじ３１０は、フランジ部３５１の背面部３５１ｃに固定され、筐体フレーム５のねじ穴５ａに螺合されている。フランジ部３５１の背面部３５１ｃは、マグネット３０とＬＥＤ表示モジュール１０００の前後方向の段差を調整する調整ねじ３１０との間に挟まれている。調整ねじ３１０は、例えば背面側から工具による回転操作により前後移動が可能である。これにより、複数のＬＥＤ表示モジュール１００１〜１００４の前後方向の段差を調整ねじ３１０の回転操作により調整することができる。ここで、調整ねじ３１０が回転操作可能でありＬＥＤ表示モジュール１０００の前後方向の段差を回転操作により調整する調整部に相当する。
【００３１】
調整ねじ３１０は、中空状である円筒状であり、ボス５０を精度良く案内する貫通穴３１０ａを備える。ボス５０は、調整ねじ３１０の貫通穴３１０ａに挿通され、調整ねじ３１０に対して前後移動が可能である。
【００３２】
圧縮ばね３６５は、ボス５０の後端部に装着されている。具体的には、圧縮ばね３６５は、ボス５０における調整ねじ３１０の後端とボス５０の後端に配置されたストッパ３６４との間に装着されている。圧縮ばね３６５は、ストッパ３６４により抜け止めされ、保持部材４０を後方に付勢する。これにより、保持部材４０のマグネット３０とボス５０は、ガタつかないように圧縮ばね３６５により後方に付勢されている。
【００３３】
ストッパ３６４は、ねじ３６６によりボス５０の後端に固定されている。調整ねじ３１０の回転操作によりＬＥＤ表示モジュール１００１〜１００４が平面に揃う位置に調整された後、調整ねじ３１０はナット５５により筐体フレーム５に固定されている。
【００３４】
図６は、映像表示装置１００のＬＥＤ表示モジュール１０００が保持部材４０に仮固定された状態を示す断面図である。
【００３５】
図６に示すように、雄ねじ部１０が同じ長さのスリーブ部３５０に平行に挿入されると、ＬＥＤ表示モジュール１０００は、予め仮固定位置に前後方向の位置を調整されたフランジ部３５１の当接面に近接した状態となっている。仮固定位置はＬＥＤ表示モジュール１０００の本固定位置よりも前方に平行な位置であり、ＬＥＤ表示モジュール１０００はボス５０を介して圧縮ばね３６５により付勢されている。ＬＥＤ表示モジュール１０００が斜めになるなど不安定な状態にならないように、ＬＥＤ表示モジュール１０００の背面とフランジ部３５１の前縁部３５１ａとの間に所定のクリアランスが設けられている。このときＬＥＤ表示モジュール１０００は本固定されていない。
【００３６】
ここで、仮固定とは、雄ねじ部１０がスリーブ部３５０に挿入され、ＬＥＤ表示モジュール１０００がフランジ部３５１の当接面に近接した状態をいう。
【００３７】
マルチディスプレイシステム２００は、ＬＥＤ表示モジュール１０００の前面に当接可能なマグネット治具５００をさらに備えている。マグネット治具５００は、保持部材４０のマグネット３０を動作させるための治具であり、外装部５１１、保持部材４０のマグネット３０と同じ極数のマグネット５１０、およびツマミ５１２を備えている。
【００３８】
マグネット冶具５００は、保持部材４０のマグネット３０と同様の磁極を有するマグネット５１０を備えており、マグネット３０と対向することによりマグネットカップリングを形成する。ＬＥＤ表示モジュール１０００が所定の位置にある状態で、保持部材４０のマグネット３０はマグネット治具５００のマグネット５１０側に引き込まれるため、マグネット冶具５００のマグネット５１０を回転させることで、保持部材４０のマグネット３０およびボス５０も回転しＬＥＤ表示モジュール１０００の脱着が可能となる。
【００３９】
マグネット治具５００をＬＥＤ表示モジュール１０００に当接した状態でツマミ５１２を回転させることにより保持部材４０のマグネット３０を同期回転させ、ＬＥＤ表示モジュール１０００を所定の位置に調整されたフランジ部３５１に固定できるようになっている。フランジ部３５１には調整ねじ３１０が固定されており、調整ねじ３１０はナット５５で所定の位置に固定されている。
【００４０】
図７は、映像表示装置１００のＬＥＤ表示モジュール１０００が保持部材４０に本固定された状態を示す断面図である。
【００４１】
図７に示すように、マグネット冶具５００をＬＥＤ表示モジュール１０００の前面に当接した状態でツマミ５１２を回転させると、保持部材４０のマグネット３０およびボス５０が回転しながら前方に移動することで、ＬＥＤ表示モジュール１０００の雄ねじ部１０が保持部材４０の雌ねじ部３６０に螺合し、雄ねじ部１０と雌ねじ部３６０が締結される。ボス５０が前方に移動することで、調整ねじ３１０とストッパ３６４との間に装着された圧縮ばね３６５が圧縮される。圧縮ばね３６５の圧縮による反発力により保持部材４０のフランジ部３５１が、ＬＥＤ表示モジュール１０００における前後方向の段差が調整された調整ねじ３１０とＬＥＤ表示モジュール１０００との間で固定された状態となっている。このとき、ＬＥＤ表示モジュール１０００の当接面は、仮固定される際よりも後方に位置し、フランジ部３５１の当接面に当接した状態となっている。
【００４２】
ここで、ボス５０が回転操作可能でありＬＥＤ表示モジュール１０００の前後方向の位置を回転操作により固定する固定部に相当する。また、本固定とは、雄ねじ部１０が雌ねじ部３６０に締結され、ＬＥＤ表示モジュール１０００がフランジ部３５１に固定された状態をいう。
【００４３】
マルチディスプレイシステム２００の組立構成後は、マグネット冶具５００をＬＥＤ表示モジュール１０００の前面に当接させた状態でツマミ５１２を逆回転させて、保持部材４０の雌ねじ部３６０をＬＥＤ表示モジュール１０００の雄ねじ部１０から取り外し、ＬＥＤ表示モジュール１０００を取り外すことが可能である。
【００４４】
なお、本実施の形態では図３に示したように、３つの雄ねじ部１０を用いてＬＥＤ表示モジュール１０００の位置の調整と固定とを行ったが、雄ねじ部１０は必ずしも３つである必要はなく、その個数は必要に応じて変更可能である。
【００４５】
以上のように、実施の形態に係るマルチディスプレイシステム２００では、各映像表示装置１００は、発光素子が配置された複数のＬＥＤ表示モジュール１０００と、複数のＬＥＤ表示モジュール１０００の背面が固定される筐体フレーム５と、回転操作可能であり複数のＬＥＤ表示モジュール１０００の前後方向の段差を回転操作により調整する調整ねじ３１０と、回転操作可能であり複数のＬＥＤ表示モジュール１０００の前後方向の位置を回転操作により固定するボス５０とを有する保持部材４０と、ボス５０を後方に付勢する圧縮ばね３６５とを備え、調整ねじ３１０の回転軸はボス５０の回転軸と同軸上に配置された。
【００４６】
したがって、映像表示装置１００と隣接する他の映像表示装置１００との間の目地を目立たないように調整することができる。
【００４７】
さらに圧縮ばね３６５はボス５０を後方に付勢するため、ボス５０を含む保持部材４０に取り付けられるＬＥＤ表示モジュール１０００のガタつきを抑制することができる。これにより、ＬＥＤ表示モジュール１０００を取り付け直す際に、ＬＥＤ表示モジュール１０００の端部とこれに隣接するＬＥＤ表示モジュール１０００の端部が干渉することを抑制することができる。これにより、発光素子が破損することを抑制することができる。
【００４８】
ＬＥＤ表示モジュール１０００を筐体フレーム５に取り付けるときに、保持部材４０の調整ねじ３１０の回転軸とボス５０の回転軸とが同軸上に配置されることにより、ＬＥＤ表示モジュール１０００の保持と前後方向の位置調整が可能となる。仮に、調整部と固定部が異なる位置に存在する場合、調整部で表示面の位置を調整した後にその位置を固定する際に調整位置がずれてしまうことがある。
【００４９】
しかしながら、本実施の形態のように調整部の回転軸と固定部の回転軸が同軸上に存在する場合、表示面の位置調整後に位置を固定する際に調整された位置がずれることがなく、調整部と固定部との位置ずれによるＬＥＤ表示モジュール１０００の表示面の撓みをなくすという効果がある。
【００５０】
また、ＬＥＤ表示モジュール１０００が雄ねじ部１０と雌ねじ部３６０により締結され固定されることで、マルチディスプレイシステム２００の組立構成後に地震等の振動が加わった際においても、ＬＥＤ表示モジュール１０００の位置ずれおよび落下を抑制するという効果がある。
【００５１】
ＬＥＤ表示モジュール１０００を表示面側から取り外したり、取り付け直したりする場合、ＬＥＤ表示モジュール１０００が撓むと隣接するＬＥＤ表示モジュール１０００の表示面と段差をなくすため何度も取り付け作業を繰り返すことになる。しかしながら、本実施の形態ではＬＥＤ表示モジュール１０００の固定において不安定な状態にならないため、取り付け作業を繰り返す場合でも作業が容易となる。
【００５２】
ＬＥＤ表示モジュール１０００の前面に当接可能なマグネット治具５００をさらに備え、ＬＥＤ表示モジュール１０００は、背面から筐体フレーム５側に突出する雄ねじ部１０を有し、保持部材４０は、ＬＥＤ表示モジュール１０００の背面に当接する磁性体からなるフランジ部３５１と、フランジ部３５１の内部に配置された円板状のマグネット３０と、マグネット３０の背面に固定されたボス５０と、ボス５０の内部に配置されマグネット３０の中央部を貫通しＬＥＤ表示モジュール１０００の雄ねじ部１０が挿入されるスリーブ部３５０と、スリーブ部３５０の後側に形成され雄ねじ部１０を案内するテーパ部３６１と、テーパ部３６１の後側に形成され雄ねじ部１０が螺合する雌ねじ部３６０とを有し、ＬＥＤ表示モジュール１０００の前面に当接させたマグネット治具５００と保持部材４０のマグネット３０との間の磁力吸着によるマグネットカップリングにより、保持部材４０のボス５０は回転可能に支持される。
【００５３】
したがって、ＬＥＤ表示モジュール１０００は所定の位置にある状態でボス５０がＬＥＤ表示モジュール１０００側に引き込まれるため、マグネット治具５００を回転させることで保持部材４０のマグネット３０およびボス５０が回転し、ＬＥＤ表示モジュール１０００の脱着が可能となる。
【００５４】
マグネット治具５００により表示面側からＬＥＤ表示モジュール１０００の脱着が可能となることで、製品の背面側に人が入るためのメンテナンススペースを設ける必要がなくなり省スペース化の効果がある。
【００５５】
調整ねじ３１０は、フランジ部３５１の背面に固定され、かつ、挿通されたボス５０を案内する貫通穴３１０ａを有し、圧縮ばね３６５は、調整ねじ３１０の後端とボス５０の後端に配置されたストッパ３６４との間に配置され、ＬＥＤ表示モジュール１０００が筐体フレーム５に仮固定される際にフランジ部３５１に当接するＬＥＤ表示モジュール１０００の当接面は、ＬＥＤ表示モジュール１０００が筐体フレーム５に本固定される際の前記当接面よりも前方に位置するように圧縮ばね３６５により付勢される。
【００５６】
したがって、仮固定時のＬＥＤ表示モジュール１０００の当接面は本固定時よりも前方に位置することから、ＬＥＤ表示モジュール１０００の脱着作業を何度も実施する場合に、ＬＥＤ表示モジュール１０００の端部とこれに隣接するＬＥＤ表示モジュール１０００の端部が干渉することを抑制することができる。
【００５７】
ボス５０は圧縮ばね３６５により付勢されているため、振動等により雄ねじ部１０と雌ねじ部３６０との締結が緩むことを抑制できる。
【００５８】
この発明は詳細に説明されたが、上記した説明は、すべての局面において、例示であって、この発明がそれに限定されるものではない。例示されていない無数の変形例が、この発明の範囲から外れることなく想定され得るものと解される。
【００５９】
なお、本発明は、その発明の範囲内において、実施の形態を適宜、変形、省略することが可能である。
【符号の説明】
【００６０】
５  筐体フレーム、１０  雄ねじ部、３０  マグネット、４０〜４３  保持部材、５０  ボス、１００〜１０６  映像表示装置、２００  マルチディスプレイシステム、３１０  調整ねじ、３１０ａ  貫通穴、３５０  スリーブ部、３５１  フランジ部、３６０  雌ねじ部、３６１  テーパ部、３６４  ストッパ、３６５  圧縮ばね、５００  マグネット治具、１０００〜１００４  ＬＥＤ表示モジュール。
【要約】
マルチディスプレイシステムにおいて、映像表示装置と隣接する他の映像表示装置との間の目地を目立たないように調整し、かつ、映像表示モジュールを取り付け直す際に、映像表示モジュールの端部とこれに隣接する映像表示モジュールの端部が干渉することを抑制可能な技術を提供することを目的とする。各映像表示装置１００は、複数のＬＥＤ表示モジュール１０００と、筐体フレーム５と、保持部材４０と、圧縮ばね３６５とを備える。保持部材４０は、複数のＬＥＤ表示モジュール１０００の前後方向の段差を回転操作により調整する調整部である調整ねじ３１０と、複数のＬＥＤ表示モジュール１０００の前後方向の位置を回転操作により固定する固定部であるボス５０とを有する。圧縮ばね３６５は保持部材４０を後方に付勢する。調整ねじ３１０の回転軸はボス５０の回転軸と同軸上に配置された。【図１】
0006695507.tif 000002
【図２】
0006695507.tif 000003
【図３】
0006695507.tif 000004
【図４】
0006695507.tif 000005
【図５】
0006695507.tif 000006
【図６】
0006695507.tif 000007
【図７】
0006695507.tif 000008
【図８】
0006695507.tif 000009
【図９】
0006695507.tif 000010
【図１０】
0006695507.tif 000011